【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
三次元シーン（３Ｄ−Ｓ）のホログラフィック再構成を生成するためのホログラフィック・ディスプレイであって、
前記ホログラフィック・ディスプレイは、空間光変調器（ＳＬＭ）を照射するための光源及び光学系を含み、
前記ホログラフィック・ディスプレイは、少なくとも１つの仮想観察者ウィンドウ（ＶＯＷ）が観察者の目の位置に設置されるように適合され、
前記仮想観察者ウィンドウ（ＶＯＷ）は２以上の仮想観察者ウィンドウ・セグメントに分割され、
前記三次元シーン（３Ｄ−Ｓ）の少なくとも１つの隠れ単一オブジェクト・ポイントが、前記三次元シーン（３Ｄ−Ｓ）の他の隠し単一オブジェクト・ポイントにより隠されてしまう場合、或いは、前記三次元シーン（３Ｄ−Ｓ）の少なくとも１つの不可視の単一オブジェクト・ポイントが、観察者位置と観察方向とのうち少なくともいずれかから見えない場合に、少なくとも１つの単一オブジェクト・ポイントのサブホログラムは、少なくとも１つの前記隠し単一オブジェクト・ポイントが前記仮想観察者ウィンドウ・セグメントの１つから観察され、前記三次元シーン（３Ｄ−Ｓ）の他の隠れ単一オブジェクト・ポイント又は前記不可視の単一オブジェクト・ポイントは、前記仮想観察者ウィンドウ・セグメントの前記１つから観察されないように、符号化される、
ことを特徴とするホログラフィック・ディスプレイ。
【請求項２】
少なくとも１つの単一オブジェクト・ポイントのサブホログラムは、
前記仮想観察者ウィンドウ・セグメントの１つから前記少なくとも１つの隠し単一オブジェクト・ポイントが観察され、前記隠れ単一オブジェクト・ポイント、又は、前記不可視の単一オブジェクト・ポイントが別の仮想観察者ウィンドウ・セグメントから観察されるように、符号化される
ことを特徴とする請求項１に記載のホログラフィック・ディスプレイ。
【請求項３】
各仮想観察者ウィンドウ・セグメントは、人間の瞳サイズとほぼ同一の大きさを有するか、または、前記仮想観察者ウィンドウ（ＶＯＷ）は、瞳の直径と同じか、或いは、より大きい大きさを有することを特徴とする請求項１又は２に記載のホログラフィック・ディスプレイ。
【請求項４】
仮想観察者ウィンドウ・セグメントはそれぞれ少なくとも１つの異なるサブホログラムによって符号化されることを特徴とする請求項１から３のいずれか１項に記載のホログラフィック・ディスプレイ。
【請求項５】
２つの仮想観察者ウィンドウ・セグメントは、互いに隣接して、或いは、オーバーラップして配置されることを特徴とする請求項１から４のいずれか１項に記載のホログラフィック・ディスプレイ。
【請求項６】
空間光変調器（ＳＬＭ）の前記符号化を決定するために実行される少なくともいくつかの計算は、前記空間光変調器の画素と同一基板上の回路を利用して実行されることを特徴とする請求項１から５のいずれか１項に記載のホログラフィック・ディスプレイ。
【請求項７】
同一視線に沿って、前記仮想観察者ウィンドウ（ＶＯＷ）に対してより近いオブジェクト・ポイントが、前記仮想観察者ウィンドウ（ＶＯＷ）からより離れたオブジェクト・ポイントをマスクすることを特徴とする請求項６に記載のホログラフィック・ディスプレイ。
【請求項８】
オクルージョンは、奥行きマップと強度マップが構築される場合に実行されることを特徴とする請求項１から７のいずれか１項に記載のホログラフィック・ディスプレイ。
【請求項９】
オクルージョンは、前記空間光変調器の画素と同一基板上にある回路によって実行される計算を利用して実行されることを特徴とする請求項１から８のいずれか１項に記載のホログラフィック・ディスプレイ。
【請求項１０】
オクルージョンは、前記ディスプレイの画素間にある回路によって実行される計算を利用して実行されることを特徴とする請求項１から９のいずれか１項に記載のホログラフィック・ディスプレイ。
【請求項１１】
計算は、フーリエ変換又はフレネル変換の計算を含まないことを特徴とする請求項１から１０のいずれか１項に記載のホログラフィック・ディスプレイ。
【請求項１２】
空間内の単一オブジェクト・ポイントの情報を処理し、処理された単一オブジェクト・ポイントの色値及び奥行き値を出力する３Ｄパイプラインを更に備え、
前記３Ｄパイプラインが、ホログラフィック変換及び符号化を実行するための少なくとも１つの追加の処理部を含み、前記追加の処理部が前記３Ｄパイプラインのすぐの下流側に配置されていることを特徴とする請求項１から１１のいずれか１項に記載のホログラフィック・ディスプレイ。
【請求項１３】
１つの処理された単一オブジェクト・ポイントの色値及び奥行き値が利用可能になると、ホログラフィック計算が直ぐに実行され、サブホログラムを用いた前記空間光変調器（ＳＬＭ）のサブセットの符号化のためのホログラフィック画像データが得られることを特徴とする請求項１から１２のいずれか１項に記載のホログラフィック・ディスプレイ。
【請求項１４】
３次元空間の点についてのシーケンシャルなホログラフィック変換は、ホログラフィック計算パイプラインにより実行され、前記ホログラフィック計算パイプラインは、３Ｄパイプラインのすぐの下流側に配置されていることを特徴とする請求項１から１３のいずれか１項に記載のホログラフィック・ディスプレイ。
【請求項１５】
前記空間光変調器の画素のホログラム符号化データは、前記空間光変調器の画素により専有される空間の外側で計算され、
前記ホログラム符号化データはデータ圧縮技術を使用して圧縮されて、ディスプレイ基板上の回路に送信され、前記回路は受信したデータを伸張する機能を実行する
ことを特徴とする請求項１から１４のいずれか１項に記載のホログラフィック・ディスプレイ。
【請求項１６】
前記サブホログラムの符号化の計算において使用される実空間画像データは、連続する実空間画像フレーム間の差分であり、
ホログラフィック表示データが、サブホログラム差分データ及びディスプレイ記憶位置データの形式でホログラフィック・ディスプレイのクラスタに送出される
ことを特徴とする請求項１から１５のいずれか１項に記載のホログラフィック・ディスプレイ。
【請求項１７】
前記ホログラフィック・ディスプレイは、ホログラフィック・ディスプレイのユーザと、別のホログラフィック・ディスプレイを使用する別のユーザとの間の、インターネット・プロトコルを介した音声及びホログラフィック画像を利用した通信（ＶＨＩＯＩＰ）を提供するように適合され、
前記三次元シーン（３Ｄ−Ｓ）を表す情報が、前記ユーザの前記ホログラフィック・ディスプレイと、前記別のユーザの前記ホログラフィック・ディスプレイとの間で、前記インターネット又はネットワークを介して転送される
ことを特徴とする請求項１から１６のいずれか１項に記載のホログラフィック・ディスプレイ。
【請求項１８】
三次元シーン（３Ｄ−Ｓ）のホログラフィック再構成を生成するための請求項１から１７のいずれか１項に記載のホログラフィック・ディスプレイの動作方法であって、
前記ホログラフィック・ディスプレイは、空間光変調器（ＳＬＭ）を照射するための光源及び光学系を含み、少なくとも１つの仮想観察者ウィンドウ（ＶＯＷ）を観察者の目の位置に設置するように適合され、前記仮想観察者ウィンドウ（ＶＯＷ）が２以上の仮想観察者ウィンドウ・セグメントに分割され、
前記三次元シーン（３Ｄ−Ｓ）の少なくとも１つの隠れ単一オブジェクト・ポイントが、前記三次元シーン（３Ｄ−Ｓ）の他の隠し単一オブジェクト・ポイントにより隠されてしまう場合、或いは、前記三次元シーン（３Ｄ−Ｓ）の少なくとも１つの不可視の単一オブジェクト・ポイントが、観察者位置と観察方向とのうち少なくともいずれかから見えない場合に、少なくとも１つの単一オブジェクト・ポイントのサブホログラムを、少なくとも１つの隠し単一オブジェクト・ポイントが前記仮想観察者ウィンドウ・セグメントの１つから観察され、前記三次元シーン（３Ｄ−Ｓ）の前記他の隠れ単一オブジェクト・ポイント又は前記不可視の単一オブジェクト・ポイントは、前記仮想観察者ウィンドウ・セグメントの前記１つから観察されないように、符号化する、ことを特徴とする方法。